(57)【要約】【課題】開口部が知らない間に開放状態となってしまうことを防止することができる携帯用衛生用薄葉紙収納容器及び携帯用衛生用薄葉紙収納容器ユニットを提供する。【解決手段】折り畳み部１３を有する袋体１と、袋体１の内部に収納された内容物を取り出す第１取出孔２１を有する第１取出部２と、袋体１が折り畳み部１３において折り畳まれた際に、第１取出孔２１を閉塞する閉塞部材４と、を備える。【選択図】図１
2018140813.tif 000002
【特許請求の範囲】
【請求項１】
折り畳み部を有する袋体と、
前記袋体の内部に収納された衛生用薄葉紙を取り出す取出孔を有する取出部と、
前記袋体が前記折り畳み部において折り畳まれた際に、前記取出孔を閉塞する閉塞部材と、
を備えることを特徴とする携帯用衛生用薄葉紙収納容器。
【請求項２】
前記袋体は第１小袋と第２小袋とを備え、
前記折り畳み部は、前記第１小袋と前記第２小袋との接続部に形成され、
前記取出部は、前記第１小袋の内部に収納された衛生用薄葉紙を取り出す第１取出孔を有する第１取出部と、前記第２小袋の内部に収納された衛生用薄葉紙を取り出す第２取出孔を有する第２取出部と、を備え、
前記閉塞部材は、前記袋体が前記折り畳み部において折り畳まれた際に、前記第１取出孔と、前記第２取出孔とを閉塞することを特徴とする請求項１に記載の携帯用衛生用薄葉紙収納容器。
【請求項３】
前記閉塞部材は、前記第１取出孔を囲む第１突出部と、第２取出孔を囲む第２突出部と、を備え、
前記袋体が前記折り畳み部において折り畳まれた際に、前記第１突出部と前記第２突出部とが嵌合して、前記第１取出孔と前記第２取出孔とを閉塞することを特徴とする請求項２に記載の携帯用衛生用薄葉紙収納容器。
【請求項４】
前記閉塞部材は、前記袋体が前記折り畳み部において折り畳まれた際に、前記第１取出部と前記第２取出部との間に位置する蓋体を備えることを特徴とする請求項２に記載の携帯用衛生用薄葉紙収納容器。
【請求項５】
前記閉塞部材は、前記第１取出孔を囲む第１突出部と、前記第２取出孔を囲む第２突出部と、を備え、
前記蓋体は、一面に備えられた第３突出部と、他面に備えられた第４突出部と、を備え、
前記袋体が前記折り畳み部において折り畳まれた際に、前記第１突出部と前記第３突出部とが嵌合して前記第１取出孔を閉塞し、前記第２突出部と前記第４突出部とが嵌合して前記第２取出孔を閉塞することを特徴とする請求項４に記載の携帯用衛生用薄葉紙収納容器。
【請求項６】
請求項１から５のいずれか一項に記載の携帯用衛生用薄葉紙収納容器が複数接続されてなることを特徴とする携帯用衛生用薄葉紙収納容器ユニット。
【発明の詳細な説明】
【技術分野】
【０００１】
本発明は、携帯用衛生用薄葉紙収納容器及び携帯用衛生用薄葉紙収納容器ユニットに関する。
【背景技術】
【０００２】
従来、例えばウェットシートやウェットティッシュ等の衛生用薄葉紙を収納する携帯用衛生用薄葉紙収納容器としては、その外面側に開口部が設けられ、当該開口部から衛生用薄葉紙を取り出して使用するものが知られている（例えば、特許文献１参照）。
【先行技術文献】
【特許文献】
【０００３】
【特許文献１】特開平１−１２４５８２号公報
【発明の概要】
【発明が解決しようとする課題】
【０００４】
このような携帯用衛生用薄葉紙収納容器においては、開口部が外面側に設けられているため、例えば鞄に入れて携帯した際には、開口部を閉塞する部材が鞄の中の他の内容物に引っ掛かり、知らない間に開口部が開放状態となってしまうことがある。この場合、開放状態となってしまったことに気付くのが遅れると、内部の衛生用薄葉紙が乾燥して、使用できなくなってしまう可能性がある。
【０００５】
本発明の課題は、開口部が知らない間に開放状態となってしまうことを防止することができる携帯用衛生用薄葉紙収納容器及び携帯用衛生用薄葉紙収納容器ユニットを提供することである。
【課題を解決するための手段】
【０００６】
上記課題を解決するために、請求項１に記載の発明は、携帯用衛生用薄葉紙収納容器において、
折り畳み部を有する袋体と、
前記袋体の内部に収納された衛生用薄葉紙を取り出す取出孔を有する取出部と、
前記袋体が前記折り畳み部において折り畳まれた際に、前記取出孔を閉塞する閉塞部材と、
を備えることを特徴とする
本発明によれば、取出孔が知らない間に開放状態となってしまうことを防止することができる。
【０００７】
請求項２に記載の発明は、請求項１に記載の携帯用衛生用薄葉紙収納容器において、
前記袋体は第１小袋と第２小袋とを備え、
前記折り畳み部は、前記第１小袋と前記第２小袋との接続部に形成され、
前記取出部は、前記第１小袋の内部に収納された衛生用薄葉紙を取り出す第１取出孔を有する第１取出部と、前記第２小袋の内部に収納された衛生用薄葉紙を取り出す第２取出孔を有する第２取出部と、を備え、
前記閉塞部材は、前記袋体が前記折り畳み部において折り畳まれた際に、前記第１取出孔と、前記第２取出孔とを閉塞することを特徴とする。
本発明によれば、取出孔が知らない間に開放状態となってしまうことを防止することができる。
【０００８】
請求項３に記載の発明は、請求項２に記載の携帯用衛生用薄葉紙収納容器において、
前記閉塞部材は、前記第１取出孔を囲む第１突出部と、第２取出孔を囲む第２突出部と、を備え、
前記袋体が前記折り畳み部において折り畳まれた際に、前記第１突出部と前記第２突出部とが嵌合して、前記第１取出孔と前記第２取出孔とを閉塞することを特徴とする。
本発明によれば、取出孔が知らない間に開放状態となってしまうことを防止することができる。
【０００９】
請求項４に記載の発明は、請求項２に記載の携帯用衛生用薄葉紙収納容器において、
前記閉塞部材は、前記袋体が前記折り畳み部において折り畳まれた際に、前記第１取出部と前記第２取出部との間に位置する蓋体を備えることを特徴とする。
本発明によれば、取出孔が知らない間に開放状態となってしまうことを防止することができ、また、収納空間同士が接続されることが好ましくない２種類の衛生用薄葉紙を収納することができる。
【００１０】
請求項５に記載の発明は、請求項４に記載の携帯用衛生用薄葉紙収納容器において、
前記閉塞部材は、前記第１取出孔を囲む第１突出部と、前記第２取出孔を囲む第２突出部と、を備え、
前記蓋体は、一面に備えられた第３突出部と、他面に備えられた第４突出部と、を備え、
前記袋体が前記折り畳み部において折り畳まれた際に、前記第１突出部と前記第３突出部とが嵌合して前記第１取出孔を閉塞し、前記第２突出部と前記第４突出部とが嵌合して前記第２取出孔を閉塞することを特徴とする。
本発明によれば、取出孔が知らない間に開放状態となってしまうことを防止することができ、また、収納空間同士が接続されることが好ましくない２種類の衛生用薄葉紙を収納することができる。
【００１１】
請求項６に記載の発明は、携帯用衛生用薄葉紙収納容器ユニットにおいて、
請求項１から５のいずれか一項に記載の携帯用衛生用薄葉紙収納容器が複数接続されてなることを特徴とする。
本発明によれば、収納スペースを増加することができ、また、収納空間同士が接続されることが好ましくない２種類の衛生用薄葉紙を収納することができる。
【発明の効果】
【００１２】
本発明によれば、開口部が知らない間に開放状態となってしまうことを防止することができる携帯用衛生用薄葉紙収納容器及び携帯用衛生用薄葉紙収納容器ユニットを提供することができる。
【図面の簡単な説明】
【００１３】
【図１】第１実施形態に係る携帯用衛生用薄葉紙収納容器の斜視図である。
【図２】（ａ）は、取出孔を開放状態とした第１実施形態に係る携帯用衛生用薄葉紙収納容器の図１のII-II部における断面図である。（ｂ）は、取出孔を閉塞状態とした第１実施形態に係る携帯用衛生用薄葉紙収納容器の図１のII-II部における断面図である。
【図３】内部に衛生用薄葉紙を収納した状態における第１実施形態に係る携帯用衛生用薄葉紙収納容器の図１のII-II部における断面図である。
【図４】第２実施形態に係る携帯用衛生用薄葉紙収納容器の斜視図である。
【図５】（ａ）は、取出孔を開放状態とした第２実施形態に係る携帯用衛生用薄葉紙収納容器の図４のV-V部における断面図である。（ｂ）は、取出孔を閉塞状態とした第２実施形態に係る携帯用衛生用薄葉紙収納容器の図４のV-V部における断面図である。
【図６】第３実施形態に係る携帯用衛生用薄葉紙収納容器ユニットの斜視図である。
【図７】取出孔を開放状態とした第３実施形態に係る携帯用衛生用薄葉紙収納容器ユニットの図６のVII-VII部における断面図である。
【発明を実施するための形態】
【００１４】
以下、本発明の実施形態である携帯用衛生用薄葉紙収納容器の具体的な態様について、図１から図７に基づいて説明する。ただし、本発明の技術的範囲は、図示例に限定されない。
【００１５】
（第１実施形態）
第１実施形態に係る携帯用衛生用薄葉紙収納容器１００について、図１から図３に基づいて説明する。
【００１６】
（実施形態の構成）
携帯用衛生用薄葉紙収納容器１００は、図１から図３に示すように、内部に衛生用薄葉紙Ｐを収納する空間を有する袋体１と、袋体１に備えられ、衛生用薄葉紙Ｐを取り出す第１取出孔２１を有する第１取出部２と、袋体１に備えられ、衛生用薄葉紙Ｐを取り出す第２取出孔３１を有する第２取出部３と、第１取出孔２１と第２取出孔３１とを閉塞する閉塞部材４と、から形成されている。
【００１７】
（袋体）
袋体１は、図１から図３に示すように、第１小袋１１と第２小袋１２とを有し、第１小袋１１と第２小袋１２との接続部に、折り畳み部１３が形成されている。
【００１８】
（第１小袋）
第１小袋１１は、例えば軟質塩化ビニール樹脂等の柔らかく耐水性のある素材により形成された略長方形状のシート状の素材を２枚重ねて端部を接合することにより、内部に収納空間を有すると共に、内部に衛生用薄葉紙Ｐを収納していない状態において扁平な略長方形状となる袋状に形成され、第１開口孔１１１と、第１開閉部１１２と、を有している。
【００１９】
第１小袋１１は、携帯性を重視して、内部に衛生用薄葉紙Ｐを収納できる範囲でできる限り小型に形成されることが望ましく、具体的には、内部に衛生用薄葉紙Ｐが収納されていない状態において、Ｘ軸方向（長辺）150ｍｍ〜250ｍｍ、好ましくは180ｍｍ〜240ｍｍ、Ｙ軸方向（短辺）110ｍｍ〜150ｍｍ、好ましくは120ｍｍ〜140ｍｍ、Ｚ軸方向（厚み）3ｍｍ〜10ｍｍ、好ましくは4ｍｍ〜7ｍｍとなる扁平な略長方形状となるように形成される。
【００２０】
第１開口孔１１１は、第１小袋１１の一方の面の長手方向及び短手方向の中央部に略円形状に形成された第１小袋１１内部に通じる孔部であり、第１取出部２によって覆われている。
【００２１】
第１開閉部１１２は、第１小袋１１の端部の一つに、ファスナー等の開閉手段を備えることにより形成され、開閉手段を閉じた際に気密性が保たれるとともに、開閉手段を開いた際には当該端部の略全体が開放され、衛生用薄葉紙Ｐを出し入れできる。
なお、第１開閉部１１２は、折り畳み部１３における第２小袋１２との接続に用いられる端部以外の端部に備えられる。
【００２２】
（第２小袋）
第２小袋１２は、第１小袋１１と略同一の袋状の部材であり、第２開口孔１２１と、第２開閉部１２２と、を有している。
【００２３】
第２開口孔１２１は、第２小袋１２の一方の面の長手方向及び短手方向の中央部に略円形状に形成された第２小袋１２内部に通じる孔部であり、第２取出部３によって覆われている。
【００２４】
第２開閉部１２２は、第２小袋１２の端部の一つに、ファスナー等の開閉手段を備えることにより形成され、開閉手段を閉じた際に気密性が保たれるとともに、開閉手段を開いた際には当該端部の略全体が開放され、衛生用薄葉紙Ｐを出し入れできる。
なお、第２開閉部１２２は、折り畳み部１３における第１小袋１１との接続に用いられる端部以外の端部に備えられる。
【００２５】
（折り畳み部）
折り畳み部１３は、第１小袋１１と、第２小袋１２との接続部に形成され、折り畳み部１３において、袋体１を折り畳むことができる。
図１から図３に示すように、第１小袋１１と第２小袋１２とは、折り畳み部１３において袋体１が折り畳まれた際に、第１取出部２と第２取出部３とが向かい合うように接続されている。
【００２６】
折り畳み部１３は、例えば、独立して成形された第１小袋１１と第２小袋１２とを接着することによって、Ｘ軸方向に袋体１の全体にわたり、Ｙ軸方向1ｍｍ〜5ｍｍ、好ましくは2ｍｍ〜3ｍｍ、Ｚ軸方向2ｍｍ〜5ｍｍ、好ましくは3ｍｍ〜4ｍｍとなるように形成される。
【００２７】
（第１取出部）
第１取出部２は、図１から図３に示すように、例えばプラスチック等の第１小袋１１と比較して硬質な材料によって直径40ｍｍ〜80ｍｍ、好ましくは50ｍｍ〜70ｍｍの円形に形成された板状の部材であり、第１小袋１１に備えられている。第１取出部２は、中央部に第１取出孔２１を有する。
第１取出部２は、第１小袋１１の第１開口孔１１１よりも大型に形成され、第１取出部２が第１開口孔１１１を覆い、かつ第１開口孔１１１と第１取出孔２１とが重なるように第１小袋１１に取り付けられている。
【００２８】
（第１取出孔）
第１取出孔２１は、第１取出部２の中央部に形成された円形の孔であり、第１小袋１１内部から衛生用薄葉紙Ｐを取り出す際に用いられる。第１取出孔２１は、第１小袋１１内部から衛生用薄葉紙Ｐを摘み出すことができる大きさを有する必要があり、具体的には、直径8ｍｍ〜15ｍｍ、好ましくは10ｍｍ〜13ｍｍ程度に形成される。
【００２９】
（第２取出部）
第２取出部３は、図１から図３に示すように、第１取出部２と略同一の、例えばプラスチック等の材料によって、直径40ｍｍ〜80ｍｍ、好ましくは50ｍｍ〜70ｍｍの円形に形成された板状の部材であり、第２小袋１２に備えられている。第２取出部３は、中央部に第２取出孔３１を有する。
第２取出部３は、第２小袋１２の第２開口孔１２１よりも大型に形成され、第２取出部３が第２開口孔１２１を覆い、かつ第２開口孔１２１と第２取出孔３１とが重なるように第２小袋１２に取り付けられている。
【００３０】
（第２取出孔）
第２取出孔３１は、第２取出部３の中央部に形成された円形の孔であり、第２小袋１２内部から衛生用薄葉紙Ｐを取り出す際に用いられる。第２取出孔３１は、第２小袋１２内部から衛生用薄葉紙Ｐを摘み出すことができる大きさを有する必要があり、具体的には、直径8ｍｍ〜15ｍｍ、好ましくは10ｍｍ〜13ｍ程度に形成される。
【００３１】
（閉塞部材）
閉塞部材４は、図１から図３に示すように、第１取出孔２１を囲むように第１取出部２に備えられた第１突出部４１と、第２取出孔３１を囲むように第２取出部３に備えられた第２突出部４２と、を有する。
【００３２】
（第１突出部）
第１突出部４１は、第１取出孔２１の周囲を囲むように、円筒形状に第１取出部２の第１小袋１１に接合された面と反対側に向けて突出するように備えられている。第１突出部４１は、外径が第２突出部４２の内径と略同一となるように形成されている。
【００３３】
（第２突出部）
第２突出部４２は、第２取出孔３１の周囲を囲むように、円筒形状に第２取出部３の第２小袋１２に接合された面と反対側に向けて突出するように備えられている。第２突出部４２は、内径が第１突出部４１の外径と略同一となるように形成されている。
【００３４】
なお、図２（ｂ）及び図３に示すように、第１突出部４１と、第２突出部４２とは、折り畳み部１３において袋体１が折り畳まれた際に、第１突出部４１が第２突出部４２に挿入されるように配置されている。
【００３５】
（実施形態の効果）
上記のように、閉塞部材４は、第１突出部４１の外径と、第２突出部４２の内径とが略同一となるように形成されているため、袋体１を折り畳み部１３において折り畳むことで、第１突出部４１と第２突出部４２とを嵌合させることができる。これによって、袋体１を折り畳み部１３で折り畳まれた状態で固定するとともに、第１小袋１１内部及び第２小袋１２内部の気密性を保つことができる。
この際、第１突出部４１と第２突出部４２とは、第１小袋１１と第２小袋１２との間の空間において嵌合することとなるため、携帯用衛生用薄葉紙収納容器１００を鞄等に入れた際においても、閉塞部材４が外部から触れられ難くなる。したがって、知らない間に第１突出部４１と第２突出部４２との嵌合が外れ、第１取出孔２１及び第２取出孔３１が開放状態となってしまうことを防止することができる。
【００３６】
（第２実施形態）
次に第２実施形態に係る携帯用衛生用薄葉紙収納容器１００Ａについて、図４及び図５に基づいて説明する。なお、第１実施形態と同一の部分については、同一の符号を付して説明を省略する。
【００３７】
（実施形態の構成）
携帯用衛生用薄葉紙収納容器１００Ａは、図４及び図５に示すように、内部に衛生用薄葉紙を収納する空間を有する袋体１と、袋体１に備えられ、衛生用薄葉紙Ｐを取り出す第１取出孔２１を有する第１取出部２と、袋体１に備えられ、衛生用薄葉紙Ｐを取り出す第２取出孔３１を有する第２取出部３と、第１取出孔２１と第２取出孔３１とを閉塞する閉塞部材４Ａと、から形成されている。
【００３８】
（閉塞部材）
閉塞部材４Ａは、図４及び図５に示すように、第１取出部２に備えられた第１突出部４１Ａと、第２取出部３に備えられた第２突出部４２Ａと、袋体１の折り畳み部１３に接続され、蓋本体４３１と第３突出部４３２と第４突出部４３３とを備える蓋体４３と、を有する。
【００３９】
（第１突出部）
第１突出部４１Ａは、第１取出孔２１の周囲を囲むように、円筒形状に第１取出部２の第１小袋１１に接合された面と反対側に向けて突出するように備えられている。第１突出部４１Ａは、外径が第３突出部４３２の内径と略同一となるように形成されている。
【００４０】
（第２突出部）
第２突出部４２Ａは、第２取出孔３１の周囲を囲むように、円筒形状に第２取出部３の第２小袋１２に接合された面と反対側に向けて突出するように備えられている。第２突出部４２Ａは、外径が第４突出部４３３の内径と略同一となるように形成されている。
【００４１】
（蓋体）
蓋体４３は、蓋本体４３１と、蓋本体４３１の一面に備えられた第３突出部４３２と、蓋本体４３１の他面に備えら得た第４突出部４３３と、を有し、袋体１が折り畳み部１３において折り畳まれた際に、第１取出部２と第２取出部３との間に位置するように備えられている。
【００４２】
（蓋本体）
蓋本体４３１は、例えばプラスチック等の材料によって形成された板状の部材であり、折り畳み部１３の長手方向中央部付近において、袋体１に接続されている。
【００４３】
（第３突出部）
第３突出部４３２は、円筒形状に第１小袋１１側に向けて突出するように、蓋本体４３１の第１小袋１１側の面に備えられている。また、第３突出部４３２は、内径が第１突出部４１Ａの外径と略同一となるように形成されている。
また、図５（ｂ）に示すように、第３突出部４３２は、折り畳み部１３において袋体１が折り畳まれた際に、第１突出部４１Ａが第３突出部４３２に挿入されるように配置されている。
【００４４】
（第４突出部）
第４突出部４３３は、円筒形状に第２小袋１２側に向けて突出するように、蓋本体４３１の第２小袋１２側の面に備えられている。また、第４突出部４３３は、内径が第２突出部４２Ａの外径と略同一となるように形成されている。
また、図５（ｂ）に示すように、第４突出部４３３は、折り畳み部１３において袋体１が折り畳まれた際に、第２突出部４２Ａが第４突出部４３３に挿入されるように配置されている。
【００４５】
（実施形態の効果）
上記のように、閉塞部材４Ａは、第１突出部４１Ａの外径と第３突出部４３２の内径とが略同一となるように形成され、第２突出部４２Ａの外径と第４突出部４３３の内径とが略同一となるように形成されているため、袋体１を折り畳み部１３において折り畳むことで、第１突出部４１Ａと第３突出部４３２とを嵌合させ、第２突出部４２Ａと第４突出部４３３とを嵌合させることができる。
これによって、袋体１を折り畳み部１３で折り畳まれた状態で固定するとともに、第１小袋１１内部及び第２小袋１２内部の気密性を保つことができる。
この際、第１突出部４１Ａと第３突出部４３２とは、第１小袋１１と蓋本体４３１との間の空間において嵌合することとなり、また、第２突出部４２Ａと第４突出部４３３とは、第２小袋１２と蓋本体４３１との間の空間において嵌合することとなるため、携帯用衛生用薄葉紙収納容器１００Ａを鞄等に入れた際においても、閉塞部材４Ａが外部から触れられ難くなる。したがって、知らない間に第１突出部４１Ａと第３突出部４３２との嵌合及び／又は第２突出部４２Ａと第４突出部４３３との嵌合が外れ、第１取出孔２１及び／又は第２取出孔３１が開放状態となってしまうことを防止することができる。
【００４６】
さらに、第１取出孔２１は、第１突出部４１Ａと第３突出部４３２との嵌合によって閉塞され、第２取出孔３１は、第２突出部４２Ａと第４突出部４３３との嵌合によって閉塞され、第３突出部４３２と第４突出部４３３との間には蓋本体４３１が備えられていることから、第１実施形態に係る携帯用衛生用薄葉紙収納容器１００とは異なり、第１小袋１１内部の空間と第２小袋１２内部の空間とが接続されることはない。
従って、第１小袋１１と第２小袋１２とに、例えばアルコールとノンアルコールのような性質の異なる薬液を染み込ませたウェットシートを収納した場合等、収納空間同士が接続されることが好ましくない場合においても使用することが可能となる。
【００４７】
（第３実施形態）
次に、第３実施形態に係る携帯用衛生用薄葉紙収納容器ユニット１０００について、図６及び図７に基づいて説明する。なお、第１実施形態と同一の部分については、同一の符号を付して説明を省略する。
【００４８】
（実施形態の構成）
第３実施形態にかかる携帯用衛生用薄葉紙収納容器ユニット１０００は、第１実施形態にかかる携帯用衛生用薄葉紙収納容器１００、１００を２個接続したものである。
【００４９】
すなわち、図６及び図７に示すように、２つの携帯用衛生用薄葉紙収納容器１００，１００を、各々の袋体１の折り畳み部１３と平行な端部によって接続することで、携帯用衛生用薄葉紙収納容器ユニット１０００が形成されている。
【００５０】
（実施形態の効果）
第３実施形態に係る携帯用衛生用薄葉紙収納容器ユニット１０００によれば、第１実施形態と同一の効果を得つつ、収納スペースを増加することができる。
さらに、接続されない２つの収納空間が形成されることとなるため、蓋体４３を用いずとも、第２実施形態と同様に、収納空間同士が接続されることが好ましくない２種類の衛生用薄葉紙を収納することが可能となる。
【００５１】
（変形例）
上記実施形態においては、第１実施形態、第２実施形態のいずれにおいても、袋体１が第１小袋１１と第２小袋１２とに分割されている場合につき説明したが、袋体が一つの袋状に形成され、内部に単一の収納空間を有するようにしてもよい。この場合も、第１取出部２と第２取出部３との間の所定の位置で袋体を折り畳むことで、第１取出孔２１と第２取出孔３１とが閉塞される。
また、この場合、取出孔は必ずしも複数必要ないため、取出部は１つでもよく、例えば、第２開口孔１２１及び第２取出部３を備えず、袋体が折り畳まれた際に第１取出部２と向かい合う位置に、閉塞部材のみが備えられるようにしてもよい。また、第１開口孔１１１及び第１取出部２を備えず、袋体が折り畳まれた際に第２取出部３と向かい合う位置に、閉塞部材のみが備えられるようにしてもよい。
【００５２】
また、第３実施形態においては、第１実施形態に係る携帯用衛生用薄葉紙収納容器１００を２つ接続した場合について説明したが、第２実施形態に係る携帯用衛生用薄葉紙収納容器１００Ａを２つ接続することも可能である。また、第１実施形態に係る携帯用衛生用薄葉紙収納容器１００と、第２実施形態に係る携帯用衛生用薄葉紙収納容器１００Ａとを接続することも可能である。
また、接続される携帯用衛生用薄葉紙収納容器１００又は携帯用衛生用薄葉紙収納容器１００Ａは２つに限られず、さらに多数の携帯用衛生用薄葉紙収納容器１００又は携帯用衛生用薄葉紙収納容器１００Ａを接続することも可能である。
【符号の説明】
【００５３】
１  袋体
１１  第１小袋
１２  第２小袋
１３  折り畳み部
２  第１取出部（取出部）
２１  第１取出孔（取出孔）
３  第２取出部（取出部）
３１  第２取出孔（取出孔）
４、４Ａ  閉塞部材
４１、４１Ａ  第１突出部
４２、４２Ａ  第２突出部
４３  蓋体
４３１  蓋本体
４３２  第３突出部
４３３  第４突出部
１００、１００Ａ  携帯用衛生用薄葉紙収納容器
１０００  携帯用衛生用薄葉紙収納容器ユニット
Ｐ  衛生用薄葉紙
【図１】
2018140813.tif 000003
【図２】
2018140813.tif 000004
【図３】
2018140813.tif 000005
【図４】
2018140813.tif 000006
【図５】
2018140813.tif 000007
【図６】
2018140813.tif 000008
【図７】
2018140813.tif 000009